(57)【要約】【課題】デジタルプリンタとデジタルスキャナユニットの制御手段（制御部）間の通信におけるシーケンス設計を単純かつ確実に実施できるデジタル複合機器を提供する。【解決手段】デジタルプリンタ１の制御手段１１に、デジタルスキャナユニット用リセット信号生成手段６２からのリセット信号が供給されるように接続し、デジタルプリンタ用リセット信号生成手段５２からのリセット信号とデジタルスキャナユニット用リセット信号生成手段６２からのリセット信号の少なくともどちらか一方がアクティブであった場合に、デジタルプリンタ１の制御手段１１がリセットされ、デジタルスキャナユニット２の制御手段２１に、デジタルプリンタ用リセット信号生成手段５２からのリセット信号が供給されるように接続し、デジタルスキャナ用リセット信号生成手段６２からのリセット信号とデジタルプリンタ用リセット信号生成手段５２からのリセット信号の少なくともどちらか一方がアクティブであった場合に、デジタルスキャナユニット２の制御手段２１がリセットされるようにした。【選択図】　　　図１
2004135189.tif 000002
【特許請求の範囲】
【請求項１】
デジタルプリンタとデジタルスキャナユニットが接続されたデジタル複合機器において、デジタルプリンタおよびデジタルスキャナユニットに、電源電圧の低下により制御手段を非動作状態にするリセット信号生成手段をそれぞれ備え、
前記デジタルプリンタの制御手段に、更に前記デジタルスキャナユニット用リセット信号生成手段からのリセット信号を接続し、前記デジタルスキャナユニットの制御手段に、更に前記デジタルプリンタ用リセット信号生成手段からのリセット信号を接続することにより、
前記デジタルプリンタ用リセット信号生成手段、及び前記デジタルスキャナユニット用リセット信号生成手段からのリセット信号の少なくともどちらか一方がアクティブであった場合に、前記デジタルプリンタの制御手段及びデジタルスキャナユニットの制御手段が同時にリセットされことを特徴とするデジタル複合機器。
【請求項２】
請求項１記載のデジタル複合機器において、前記各リセット信号生成手段は、制御手段が内蔵することを特徴とするデジタル複合機器。
【発明の詳細な説明】
【０００１】
【発明の属する技術分野】
本発明は、デジタルプリンタとデジタルスキャナユニットが接続されたデジタル複合機器（デジタルコピー機）に関するものである。
【０００２】
【従来の技術】
デジタルプリンタに、デジタルスキャナユニットを後付け装着してデジタルコピー機能を実現させる（コピー拡張させる）場合、デジタルプリンタの後付けオプションであるデジタルスキャナユニットの電源供給容量をどうするかが問題となる。
ベースとなるデジタルプリンタ側の電源に、デジタルスキャナユニットの電源供給容量を上乗せして設計した場合、コピー拡張しないデジタルプリンタに対してはコストアップとなってしまうため、後付けオプションであるデジタルスキャナユニットに専用の電源を用意する方法が採られている。
このときの実装方式として、デジタルプリンタのＡＣ入力を分岐して後付けオプションであるデジタルスキャナユニットの電源に入力した場合、デジタルプリンタのＡＣコードはデジタルプリンタの電源とオプションであるデジタルスキャナユニットの電源の総電力に対する定格を必要とするため、コピー拡張しないデジタルプリンタに対してやはりコストアップとなる。また、１次側のヒューズも同様に総電力に対する定格を必要とするため、コストアップとなってしまう。
また、完全に独立した２電源方式とした場合、デジタルプリンタ単独時での電源ＯＮ／ＯＦＦ操作に対し、コピー拡張時にはデジタルスキャナユニットの電源ＯＮ／ＯＦＦ操作が発生してしまう。
それに対して、デジタルプリンタとデジタルスキャナユニットにそれぞれの電力供給用電源を設け、デジタルスキャナユニットの電力供給を接続／遮断できる機能（以下、この機能をリレーとした例で説明する）を保有し、この機能をデジタルプリンタが制御する技術が提案されている。
この場合、デジタルプリンタの電源ＯＮ／ＯＦＦ操作によりデジタルプリンタの電源が立ち上がり、リレーが接続状態となってから、デジタルスキャナユニットの電源が立ち上がることになる。すなわち、デジタルプリンタの電源が立ち上がってから、リレーのオン時間、デジタルスキャナユニットの電源の立ち上がり時間による遅延時間が発生する。
また、電源ＯＦＦ時にはデジタルプリンタの電源ＯＮ／ＯＦＦ操作によりデジタルプリンタの電源がＯＦＦし、リレーが遮断状態となってから、デジタルスキャナユニットの電源がＯＦＦすることになる。
【０００３】
【発明が解決しようとする課題】
さて、デジタルプリンタはそれ単独で使用される場合とコピー拡張として使用される場合があり、その判断はデジタルスキャナユニットと通信を行うことで為される。ところが、上述のようにデジタルプリンタの電源が立ち上がり、デジタルプリンタの制御部が通信可能状態になった時に、デジタルスキャナユニットの電源は立ち上がり動作過程にあり、デジタルスキャナユニットの制御部とは通信することができない。
デジタルプリンタとデジタルスキャナユニットの立ち上がり遅延時間は、リレーや電源の個体差によるバラツキを含むため、シーケンス設計として一意的に管理することは難しい。したがって、デジタルプリンタの制御部は定期的にデジタルスキャナユニットの制御部との通信を繰り返したり、あるいはデジタルスキャナユニットの電源状態を監視したりする必要があった。
また、完全に独立した２電源方式として、デジタルプリンタの電源ＯＮ／ＯＦＦ操作以外に、コピー拡張時にはデジタルスキャナユニットの電源ＯＮ／ＯＦＦ操作を許容したとしても、２つの電源の立ち上がり時間は個体差によるバラツキも影響し、同一時間とはならない。また、ユーザが２つの電源のＯＮ／ＯＦＦ操作を行うため、その時間差は更に大きくなる可能性がある。更に、ユーザはデジタルプリンタの電源とデジタルスキャナユニットの電源のどちらを先にＯＮあるいはＯＦＦするかという問題も生じる。
本発明は上記の不具合に鑑みて為されたものであり、デジタルプリンタとデジタルスキャナユニットの制御手段（制御部）間の通信におけるシーケンス設計を単純かつ確実に実施できるデジタル複合機器を提供することを目的とする。
【０００４】
【課題を解決するための手段】
上記目的を達成するために、請求項１記載の発明は、デジタルプリンタとデジタルスキャナユニットが接続されたデジタル複合機器において、デジタルプリンタおよびデジタルスキャナユニットに、電源電圧の低下により制御手段を非動作状態にするリセット信号生成手段をそれぞれ備え、前記デジタルプリンタの制御手段に、更に前記デジタルスキャナユニット用リセット信号生成手段からのリセット信号を接続し、前記デジタルスキャナユニットの制御手段に、更に前記デジタルプリンタ用リセット信号生成手段からのリセット信号を接続することにより、前記デジタルプリンタ用リセット信号生成手段、及び前記デジタルスキャナユニット用リセット信号生成手段からのリセット信号の少なくともどちらか一方がアクティブであった場合に、前記デジタルプリンタの制御手段及びデジタルスキャナユニットの制御手段が同時にリセットされことを特徴とする。
請求項２記載の発明は、請求項１記載のデジタル複合機器において、前記各リセット信号生成手段は、制御手段が内蔵するデジタル複合機器を主要な特徴とする。
【０００５】
【発明の実施の形態】
以下、図面により本発明の実施の形態を詳細に説明する。
図１は本発明の一実施形態に係るデジタル複合機器のブロック図である。図１において、デジタルプリンタ１は、パーソナルコンピュータ（ＰＣ）４１と接続することにより、それ単体でプリンタとして機能する。ＰＣ４１から送出されたデータは、コントローラモジュール１７を介してデジタルプリンタ１の制御部であるＢＣＵ（Ｂａｓｉｃ　Ｃｏｎｔｒｏｌ　Ｕｎｉｔ）１１に渡され、書込ユニット１２により転写紙に出力される。
ＰＳＵ１４は、電源プラグ１６により商用電源コンセントに接続され、デジタルプリンタ１に必要なＤＣ出力を生み出している。ＰＳＵ１４の入力ラインにはスイッチ１５が設けられており、スイッチ１５の開閉によりデジタルプリンタ１はＯＮ／ＯＦＦする。また、デジタルプリンタ１は、オプションのデジタルスキャナユニット２を装着することにより、デジタルコピー機（デジタル複合機器）として機能する。
デジタルスキャナユニット２の制御部２１は、ＣＣＤ２２、ＶＰＵ（Ｖｉｄｅｏ　Ｐｒｏｃｅｓｓｉｎｇ　Ｕｎｉｔ）２３、ＩＰＵ（Ｉｍａｇｅ　Ｐｒｏｃｅｓｓｉｎｇ　Ｕｎｉｔ）２４で構成されている。ＶＰＵ２３は、ＣＣＤ２２で読み取った画像信号を、信号増幅、信号合成、可変増幅、信号デジタル化の工程を経て、デジタル画像データとし、これをＩＰＵ２４に送出する。ＩＰＵ２４は、受け取ったデジタル画像データを編集、加工し、デジタルプリンタ１に受け渡すＩ／Ｆとしての役割を有している。
デジタルスキャナユニット２の制御部２１とデジタルプリンタ１のＢＣＵ１１間のデータ通信は、脱着可能なケーブル３１により行われ、デジタルプリンタ１にオプションのデジタルスキャナユニット２を装着する際、それぞれの機器をケーブル３１で接続する。
デジタルスキャナユニット２への電力供給は、電源プラグ２７を商用電源コンセントに接続することにより、ＰＳＵ２５がＤＣ出力を生み出している。ＰＳＵ２５の入力ラインにはリレー２６が設けられており、電源プラグ２７からのＡＣ入力を接続／遮断可能である。リレー２６の駆動はデジタルプリンタ１のＰＳＵ１４の＋２４Ｖ電源で為されている。
【０００６】
次に、デジタルプリンタ１とデジタルスキャナユニット２をケーブル３１で装着してデジタルコピー機構成としたときの電源ＯＮ／ＯＦＦ動作について説明する。デジタルプリンタ２に設けられたスイッチ１５をＯＮすると、ＰＳＵ１４へのＡＣ電力供給が為され、ＢＣＵ１１ならびにＢＣＵ１１を介して書込ユニット１２、プリンタエンジン１３へ＋５Ｖ電源と＋２４Ｖ電源の供給が開始される。同時に、コントローラモジュール１７へも＋５Ｖ電源の供給が開始される。
このとき、ＰＳＵ１４の＋２４Ｖ電源出力はスキャナユニット２のリレー２６に供給され、リレー２６の接点が閉じてＰＳＵ２５へのＡＣ電力供給が為される。これにより、デジタルスキャナユニット２の制御部２１への＋５Ｖ電源と＋２４Ｖ電源の供給が開始される。
次に、スイッチ１５をＯＦＦすると、ＰＳＵ１４へのＡＣ電力供給が遮断し、ＢＣＵ１１、書込ユニット１２、プリンタエンジン１３への＋５Ｖ電源と＋２４Ｖ電源の供給、ならびにコントローラモジュール１７への＋５Ｖ電源の供給がＯＦＦされる。
それと同時に、リレー２６への＋２４Ｖ電源出力もＯＦＦされ、リレー２６の接点が開いてＰＳＵ２５へのＡＣ電力供給が遮断される。これにより、デジタルスキャナユニット２の制御部２１への＋５Ｖ電源と＋２４Ｖ電源の供給がＯＦＦされる。ここで、リレー２６を駆動するＰＳＵ１４の＋２４Ｖ電源出力配線は、ケーブル３１内に配置している。
続いて、デジタルプリンタ１の制御部であるＢＣＵ１１ならびにデジタルスキャナユニット２の制御部２１のリセット回路について、図２を用いて説明する。最初に、デジタルプリンタ１が単独のプリンタとして用いられる場合について説明する。
スイッチ１５をＯＮすると、ＢＣＵ１１の＋５Ｖ電源はＧＮＤレベルから徐々に電位が上昇していき＋５Ｖに達する。リセットＩＣ５２は、＋５Ｖ電源が基準電圧（スレッシュ電圧）より電位が上昇してから一定の時間、リセット信号をアサート（Ｌレベル）する。リセット信号はＡＮＤ回路５３を介してＣＰＵ５１に出力され、所定時間経過後にリセット信号がディスアサート（Ｈレベル）されることにより、ＣＰＵ５１は動作を開始する。
スイッチ１５をＯＦＦすると、ＢＣＵ１１の＋５Ｖ電源は＋５Ｖから徐々に電位が下降していきＧＮＤレベルに達する。リセットＩＣ５２は、＋５Ｖ電源が基準電圧（スレッシュ電圧）より電位が下降した場合にリセット信号をアサート（Ｌレベル）する。リセット信号はＡＮＤ回路５３を介してＣＰＵ５１に出力され、ＣＰＵ５１は非動作状態（リセット状態）となる。その状態において、ＣＰＵ５１の駆動電源が動作電圧以下になり、完全にＯＦＦする。
【０００７】
ここで、デジタルプリンタ１とデジタルスキャナユニット２をケーブル３１で接続してデジタルコピー機構成としたときの電源ＯＮ／ＯＦＦ動作について図２、図３を用いて説明する。
デジタルコピー機構成では、ＢＣＵ１１上にあるリセットＩＣ５２のリセット信号出力をデジタルスキャナユニット２の制御部２１に接続し、デジタルスキャナユニット２の制御部２１上にあるリセットＩＣ６２のリセット信号出力をＢＣＵ１１に接続している。双方のリセット信号配線は、ケーブル３１内に配置している。
最初に電源ＯＮシーケンスについて説明する。スイッチ１５をＯＮすると、デジタルプリンタ１のＰＳＵ１４の＋５Ｖ電源がｔ１秒後に立ち上がり、ｔ２秒後に＋２４Ｖ電源が立ち上がる。ＢＣＵ１１上にあるリセットＩＣ５２は、＋５Ｖ電源が立ち上がりからｔ３秒間リセット信号をアサート（Ｌレベル）し続ける。
一方、デジタルプリンタ１上のＰＳＵ１４の＋２４Ｖ電源の立ち上がりからｔ４秒後に、リレー２６の接点がＯＮする。これにより、デジタルスキャナユニット２上のＰＳＵ２５の＋５Ｖ電源がｔ５秒後に立ち上がり、ｔ６秒後に＋２４Ｖ電源が立ち上がる。デジタルスキャナユニット２の制御部２１上にあるリセットＩＣ６２は、＋５Ｖ電源が立ち上がりからｔ７秒間リセット信号をアサート（Ｌレベル）し続ける。
さて、ＢＣＵ１１ではＰＳＵ１４の＋５Ｖ電源の立ち上がりからｔ３秒後に、リセットＩＣ５２のリセット信号はディスアサート（Ｈレベル）される。これにより、ＡＮＤ回路５３の一方の入力はＨレベルとなるが、このタイミングではデジタルスキャナユニット２の制御部２１上にあるリセットＩＣ６２のリセット信号はアサート（Ｌレベル）されている。したがって、ＡＮＤ回路５３のもう一方の入力はＬレベルとなり、ＣＰＵ５１はリセット状態を継続する。
このとき、デジタルスキャナユニット２の制御部２１では、ＢＣＵ１１上のリセットＩＣ５２のリセット信号がディスアサート（Ｈレベル）することによりＡＮＤ回路６３の一方の入力はＨレベルとなる。しかし、リセットＩＣ６２のリセット信号はアサート（Ｌレベル）されているため、ＡＮＤ回路６３のもう一方の入力はＬレベルとなり、ＣＰＵ６１はリセット状態である。
その後、ＰＳＵ２５の＋５Ｖ電源の立ち上がりからｔ７秒後にリセットＩＣ６２のリセット信号はディスアサート（Ｈレベル）される。これにより、ＡＮＤ回路５３、ＡＮＤ回路６３では両入力端子がＨレベルとなり、ＣＰＵ５１とＣＰＵ６１は、ほぼ同時にリセット状態から解除されて動作が開始される。
【０００８】
次に電源ＯＦＦシーケンスについて説明する。通常動作状態からスイッチ１５をＯＦＦすると、デジタルプリンタ１のＰＳＵ１４の＋５Ｖ電源がｔ１１秒後に立ち下がり、ｔ１２秒後に＋２４Ｖ電源が立ち下がる。ＢＣＵ１１上にあるリセットＩＣ５２は、＋５Ｖ電源の立ち下がり始めからリセット信号をアサート（Ｌレベル）し始める。
一方、デジタルプリンタ１上のＰＳＵ１４の＋２４Ｖ電源の立ち下がり始めからｔ１３秒後に、リレー２６の接点がＯＦＦする。これにより、デジタルスキャナユニット２上のＰＳＵ２５の＋５Ｖ電源がｔ１５秒後に立ち下がり、ｔ１６秒後に＋２４Ｖ電源が立ち下がる。デジタルスキャナユニット２の制御部２１上にあるリセットＩＣ６２は、＋５Ｖ電源の立ち下がり始めからリセット信号をアサート（Ｌレベル）し始める。
さて、ＢＣＵ１１ではＰＳＵ１４の＋５Ｖ電源の立ち下がり始めから、リセットＩＣ５２のリセット信号はスアサート（Ｌレベル）される。これにより、ＡＮＤ回路５３の一方の入力はＬレベルとなり、もう一方の入力の論理レベルに依らずＣＰＵ５１はリセット状態となる。
一方、デジタルスキャナユニット２の制御部２１は、このタイミングで通常状態であり、リセットＩＣ６２のリセット信号はディスアサート（Ｈレベル）されている。しかしながら、ＢＣＵ１１上のリセットＩＣ５２のリセット信号がアサート（Ｌレベル）することにより、ＡＮＤ回路６３の一方の入力はＬレベルとなる。したがって、ＡＮＤ回路５３のもう一方の入力の論理レベルに依らずＣＰＵ６１もリセット状態となる。
上述のように、デジタルプリンタ１上のＰＳＵ１４とデジタルスキャナユニット２上のＰＳＵ２５の電源ＯＮシーケンスに遅延時間が発生していても、デジタルプリンタ１の制御部であるＢＣＵ１１とデジタルスキャナユニット２の制御部２１は、ほぼ同時にリセット状態から解除される。
また、デジタルプリンタ１上のＰＳＵ１４とデジタルスキャナユニット２上のＰＳＵ２５の電源ＯＦＦシーケンスに遅延時間が発生していても、デジタルプリンタ１の制御部であるＢＣＵ１１とデジタルスキャナユニット２の制御部２１は、ほぼ同時にリセット状態に入る。
これにより、デジタルプリンタ１の制御部であるＢＣＵ１１上のＣＰＵ５１と、デジタルスキャナユニット２の制御部２１上のＣＰＵ６１との通信において、シーケンス設計を単純かつ確実に実施できることになる。
【０００９】
【発明の効果】
以上説明したように、本発明は、デジタルプリンタにデジタルスキャナユニットを後付け装着してデジタルコピー機能を実現させる場合、デジタルプリンタの制御部（制御手段）のパワーオン・リセット信号をデジタルスキャナユニットの制御部（制御手段）に接続し、デジタルスキャナユニットの制御部のパワーオン・リセット信号をデジタルプリンタの制御部に接続する。デジタルプリンタの制御部は、自分自身のパワーオン・リセット信号とデジタルスキャナユニットの制御部から接続されるパワーオン・リセット信号の内、少なくともどちらか一方がアクティブであった時にリセットされるようにする。同様に、デジタルスキャナユニットの制御部は、自分自身のパワーオン・リセット信号とデジタルプリンタの制御部から接続されるパワーオン・リセット信号の内、少なくともどちらか一方がアクティブであった時にリセットされるようにする。
これにより、独立した電源を持つデジタルプリンタとデジタルスキャナユニットの電源ＯＮシーケンスに遅延時間が発生した場合、あるいはどちらの装置が先にＯＮされた場合でも、デジタルプリンタの制御部とデジタルスキャナユニットの制御部は、ほぼ同時にリセット状態から解除される。
また、デジタルプリンタとデジタルスキャナユニットの電源ＯＦＦシーケンスに遅延時間が発生した場合、あるいはどちらの装置が先にＯＦＦされた場合でも、デジタルプリンタの制御部とデジタルスキャナユニットの制御部は、ほぼ同時にリセット状態に入る。したがって、２つの制御部間の通信におけるシーケンス設計を単純かつ確実に実施できることになる。
【図面の簡単な説明】
【図１】本発明の一実施形態に係るデジタル複合機器のブロック図である。
【図２】デジタルプリンタの制御部であるＢＣＵならびにデジタルスキャナユニットの制御部のリセット回路を示す図である。
【図３】デジタルプリンタの制御部とデジタルスキャナユニットの制御部間の出力のタイミングチャートである。
【符号の説明】
１　デジタルプリンタ、２　デジタルスキャナユニット、１１　ＢＣＵ（制御手段）、２１　制御部（制御手段）、５２、６２　リセットＩＣ（リセット信号生成手段）
【図１】
2004135189.tif 000003
【図２】
2004135189.tif 000004
【図３】
2004135189.tif 000005